【事件の表示】
　特願２０１５−１０２６２７号「遊技機」拒絶査定不服審判事件〔平成２８年１２月２２日出願公開、特開２０１６−２１４５３４号〕について、次のとおり審決する。
【結　論】
　本件審判の請求は、成り立たない。
【理　由】
第１　手続の経緯
　本願は、平成２７年５月２０日の出願であって、平成２８年６月１５日付けで拒絶の理由が通知され、同年８月２日に意見書及び手続補正書が提出されたが、平成２９年１月２０日付けで拒絶査定がなされ（発送日：平成２９年１月３１日）、それに対し、同年４月２４日に拒絶査定不服審判の請求がなされると同時に手続補正書が提出されたものである。
　
第２　平成２９年４月２４日付けの手続補正についての補正の却下の決定
　
［補正の却下の決定の結論］
　平成２９年４月２４日付けの手続補正（以下、「本件補正」という。）を却下する。
　
［理由］
１．補正の内容
　本件補正により、平成２８年８月２日付け手続補正書の特許請求の範囲の請求項１における
「【請求項１】
　遊技媒体が進入したときに、遊技者の利益となる特典が付与されることが確定する特典領域と、
所定位置に到達した遊技媒体を、予め設定された振分パターンに沿って、複数の遊技媒体通路のいずれかに振り分ける振分装置と、
を備え、
　前記複数の遊技媒体通路は、遊技媒体が振り分けられたとき前記特典領域に遊技媒体が進入しない可能性がある通路と、遊技媒体が振り分けられたとき前記特典領域に遊技媒体が進入することが確定する通路とを含むことを特徴とする遊技機。」
は、審判請求時に提出された平成２９年４月２４日付け手続補正書の特許請求の範囲の請求項１における、
「【請求項１】
　
遊技状態として、通常遊技状態および当該通常遊技状態よりも当否抽選に当選する確率が高い確率変動状態が設定された遊技機であって、
　
大当たり遊技中に
当該大当たり遊技終了後の遊技状態が前記確率変動状態となる
所定位置に到達した遊技媒体を、予め設定された振分パターンに沿って、複数の遊技媒体通路のいずれかに振り分ける振分装置と、
を備え、
　前記複数の遊技媒体通路は、遊技媒体が振り分けられたとき前記特典領域に遊技媒体が進入しない可能性がある通路と、遊技媒体が振り分けられたとき前記特典領域に遊技媒体が進入することが確定する通路とを含むことを特徴とする遊技機。」
に補正がなされた（下線は、補正箇所を明示するために当審にて付した。）。
　
　上記補正は、補正前の特許請求の範囲の請求項１に記載した発明を特定するために必要な事項である「遊技機」について、それが、「遊技状態として、通常遊技状態および当該通常遊技状態よりも当否抽選に当選する確率が高い確率変動状態が設定された」遊技機であると限定し、また「特典領域」に関し「遊技媒体が進入したとき」を「大当たり遊技中に遊技媒体が進入したとき」にさらなる限定をするとともに「遊技者の利益となる特典が付与されること」を「当該大当たり遊技終了後の遊技状態が前記確率変動状態となること」と限定したものである。
　さらに、本件補正前の特許請求の範囲の請求項１に記載された発明と本件補正後の特許請求の範囲の請求項１に記載される発明の産業上の利用分野及び解決しようとする課題が同一であるので、上記補正は特許法第１７条の２第５項第２号に掲げる特許請求の範囲の減縮を目的とするものに該当する。
　
　そして、本件補正は新規事項を追加するものではない。
　
３．独立特許要件について
　そこで、本件補正後の特許請求の範囲の請求項１に係る発明は、平成２９年４月２４日付け手続補正書により補正された特許請求の範囲の請求項１に記載された事項により特定されるものと認められるところ、その請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
　
（１）　本願補正発明 
 　本願補正発明は、上記１．の補正の内容において示した次のとおりのものである（Ａ〜Ｅは、当審にて分説して付与した。）。  
　
（本願補正発明）
「【請求項１】
Ａ　遊技状態として、通常遊技状態および当該通常遊技状態よりも当否抽選に当選する確率が高い確率変動状態が設定された遊技機であって、
Ｂ　大当たり遊技中に遊技媒体が進入したときに、当該大当たり遊技終了後の遊技状態が前記確率変動状態となることが確定する特典領域と、
Ｃ所定位置に到達した遊技媒体を、予め設定された振分パターンに沿って、複数の遊技媒体通路のいずれかに振り分ける振分装置と、
を備え、
Ｄ　前記複数の遊技媒体通路は、遊技媒体が振り分けられたとき前記特典領域に遊技媒体が進入しない可能性がある通路と、遊技媒体が振り分けられたとき前記特典領域に遊技媒体が進入することが確定する通路とを含むことを特徴とする
Ｅ　遊技機。」
　
（２）刊行物に記載された事項
　これに対して、本願の出願前に頒布された刊行物である特開２０１５−６５１０号公報（以下、「刊行物１」という。）には、「遊技機」の発明に関し、図面と共に以下の事項が記載されている。（下線は当審で付した。）。
　
（ア）
「【特許請求の範囲】
【請求項１】
　遊技球が流下可能な遊技領域に設けられ、始動口及び遊技球が入球不可能な閉鎖態様と入球可能な開放態様とに変化可能な大入賞口を備えた遊技機であって、
　前記始動口に遊技球が入球したことにより、前記大入賞口の前記開放態様を伴う複数回のラウンド遊技が含まれる大当たり遊技を実行するか否かを判定する大当たり判定手段と、
　前記大当たり判定手段により前記大当たり遊技を実行すると判定されると、前記大入賞口に入球した遊技球が所定の可動装置によって特定入賞口に振り分け可能な前記大当たり遊技を実行可能な大当たり遊技手段と、
　
前記大当たり判定手段により前記大当たり遊技を実行すると判定される確率が所定の確率に設定される低確率遊技状態または前記所定の確率よりも高確率に設定される高確率遊技状態で遊技を制御可能な遊技状態制御手段と、を備え、
　前記遊技状態制御手段は、
　
前記大当たり遊技手段により前記大当たり遊技が実行されているときに、前記大入賞口に入球した遊技球が前記特定入賞口を通過すると、当該大当たり遊技が終了した後、前記高確率遊技状態にて遊技を進行する高確率遊技状態制御手段と、
　前記大当たり遊技手段により前記大当たり遊技が実行されているときに、前記大入賞口に入球した遊技球が前記特定入賞口を通過しないと、当該大当たり遊技が終了した後、前記低確率遊技状態にて遊技を進行する低確率遊技状態制御手段と、を有し、
　前記大当たり遊技手段は、
　前記ラウンド遊技として、第１ラウンド遊技、又は、前記大入賞口に入球した遊技球が前記第１ラウンド遊技より前記可動装置によって前記特定入賞口に振り分けられ易い第２ラウンド遊技を実行可能であり、
　前記大当たり遊技は、前記第２ラウンド遊技が所定回数実行される有利大当たり遊技と、前記大入賞口が開放態様となる時間が前記有利大当たり遊技と同一又は略同一であり、前記第１ラウンド遊技で構成される不利大当たり遊技とを有す
ることを特徴とする遊技機
　
（イ）
「【発明を実施するための形態】
【００１１】
　以下、本発明の実施形態について図面を参照しながら具体的に説明する。まず、本実施形態の遊技機１の構成について、図１および図２を用いて説明する、図１は本発明の
遊技機
　
（ウ）
「【００３１】
　大入賞口１６は、通常は大入賞口開閉片１６ｂによって閉状態に維持されており、遊技球の入球を不可能としている。これに対して、後述する大当たり遊技が開始されると、大入賞口開閉片１６ｂが開放されるとともに、この大入賞口開閉片１６ｂが遊技球を大入賞口１６内に導く受け皿として機能し、遊技球が大入賞口１６に入球可能となる。」
　
（エ）
「【００６１】
　（特定入賞口の構成）
　次に、本実施形態の大入賞口１６の内部構成について、図３を用いて説明する。図３は、図１におけるＡ部の内部構成を拡大して模式的に示す拡大構成図である。
【００６２】
　図３に例示されるように、
大入賞口１６に入球した遊技球は、第１可動装置１８によりＳＰルート５１（第１通路）か、抽選ルート５２（第２通路）か、に振り分けられる。
【００６３】
　第１可動装置１８は、矩形状の第１可動片１８ｂを有している。第１可動片１８ｂは、大入賞口開閉片１６ｂの可動に併せて、可動制御される。具体的には、鉛直方向か水平方向になる。第１可動片１８ｂは鉛直方向になるとき遊技球をＳＰルート５１に案内し、水平方向になるとき抽選ルート５２に案内する。
【００６４】
　
ＳＰルート５１の先端には特定入賞口１７Ａが設けられている。第１可動装置１８によりＳＰルート５１に案内された遊技球は、特定入賞口１７Ａに入賞する。
【００６５】
　
一方、第１可動装置１８により抽選ルート５２に案内された遊技球は、第２可動装置１９か、排出ルート５３か、に案内される。
【００６６】
　第２可動装置１９は、略円盤状の第２可動片１９ｂを有している。第２可動片１９ｂは、大入賞口開閉片１６ｂの可動に併せて一定の速度で回転（反時計回り）する。第２可動片１９ｂには、外側先端が開放している第１切り欠き５４ａ、第２切り欠き５４ｂ、第３切り欠き５４ｃおよび第４切り欠き５４ｄが形成されている。また、第２切り欠き５４ｂ、第３切り欠き５４ｃおよび第４切り欠き５４ｄには、第２孔５５ｂ、第３孔５５ｃおよび第４孔５５ｄが形成されている。
【００６７】
　第１切り欠き５４ａ、第２切り欠き５４ｂ、第３切り欠き５４ｃおよび第４切り欠き５４ｄは第１の位置（６時の位置）に配されると、その外側先端でＳＰルート５１に連通する。また、第２切り欠き５４ｂ、第３切り欠き５４ｃおよび第４切り欠き５４ｄは、第２可動片１９ｂの回転に対して第１の位置より手前の第２の位置（９時の位置）に配されると、第２孔５５ｂ、第３孔５５ｃおよび第４孔５５ｄで排出ルート５３に連通する。
【００６８】
　
よって、第２可動装置１９に案内された遊技球は、まず、第１切り欠き５４ａ〜第４切り欠き５４ｄのいずれかに誘導され、最終的には、ＳＰルート５１を経由して特定入賞口１７Ａに入球するか、非特定入賞口１７Ｂに入球する。すなわち、第２可動装置１９に案内された遊技球は、１／４の確率でＳＰルート５１に案内され、３／４の確率で排出ルート５３に案内される。
　
（オ）
「【０１３４】
　（作動態様決定テーブル）
　図９（ｅ）は、第１可動装置１８の作動態様を決定するための作動態様決定テーブルである。該作動態様決定テーブルによれば、
第１可動装置１８は、大当たり遊技における１〜２回目の各ラウンド中に１回作動する。
【０１３５】
　第１可動装置１８の第１可動片１８ｂは、通常（非作動時）は、ＳＰルート５１を閉鎖すると共に、抽選ルート５２を開放する、すなわち、大入賞口１６に入球した遊技球をＳＰルート５１から遮断すると共に、抽選ルート５２に誘導するよう水平に保持されている。第１可動装置１８が作動すると、第１可動片１８ｂが回転し（図３において正面視反時計回りに回転し）、垂直に保持され、ＳＰルート５１が開放されて、抽選ルート５２が閉鎖される。
このように、第１可動装置１８の作動時間、すなわち、ＳＰルート５１の開放時間が１５．７５秒に設定されている。
・・・
【０１３７】
　図９（ｆ）は、第２可動装置１９の作動態様を決定するための作動態様決定テーブルである。該作動態様決定テーブルによれば、第２可動装置１９は、大当たり遊技における１〜２回目の各ラウンド中に１回作動する。第２可動片１９ｂの作動時間は、毎回３１．５０００秒に設定される。すなわち、第２可動装置１９は、各ラウンド遊技が開始されてから終了するまで作動（回転）し続ける。」
　
（カ）
「【０１４６】
　（遊技状態の説明）
　次に、遊技が進行する際の遊技状態について説明する。本実施形態においては、大当たり判定に関する状態として「低確率遊技状態」と「高確率遊技状態」とを有し、第２始動口１５への入賞容易性に関する状態として「非時短遊技状態」と「時短遊技状態」とを有する。
【０１４７】
　この大当たりの当選確率に関する状態（低確率遊技状態、高確率遊技状態）と第２始動口１５への入賞容易性に関する状態（非時短遊技状態、時短遊技状態）とは、独立している。つまり、
（１）「低確率遊技状態」であって「時短遊技状態」である場合と、
（２）「低確率遊技状態」であって「非時短遊技状態」である場合と、
（３）「高確率遊技状態」であって「時短遊技状態」である場合と、
（４）「高確率遊技状態」であって「非時短遊技状態」である場合と、を設けることが可能になる。
【０１４８】
　なお、遊技を開始したときの遊技状態、すなわち遊技機１の初期の遊技状態は、「低確率遊技状態」であって「非時短遊技状態」に設定されており、この遊技状態を本実施形態においては「通常遊技状態」と称することとする。【０１４９】
　
本実施形態において「低確率遊技状態」というのは、第１始動口１４または第２始動口１５に遊技球が入球したことを条件として行われる大当たりの抽選において、大当たりの当選確率が１／５０に設定された遊技状態をいう。
【０１５０】
　
これに対して「高確率遊技状態」というのは、上記大当たりの当選確率が１／１６に設定された遊技状態をいう。したがって、「高確率遊技状態」では、「低確率遊技状態」よりも、大当たりに当選しやすいこととなる。
　
（キ）
「【０４４１】
　（遊技状態の移行構成図）
　次に、本実施形態の遊技について、図３０を用いて説明する。図３０は、遊技状態の移行構成図である。
【０４４２】
　図３０に例示されるように、遊技状態が低確率遊技状態且つ非時短遊技状態時に、大当たりに当選されると、この大当たり遊技において、特定入賞口１７Ａに遊技球が通過した場合は、大当たり遊技の終了後の遊技状態が高確率遊技状態且つ時短遊技状態に設定される。
【０４４３】
　一方、この大当たり遊技において、特定入賞口１７Ａに遊技球が通過しなかった場合は、大当たり遊技の終了後の遊技状態が低確率遊技状態且つ非時短遊技状態に設定される。」
　
（ク）　
「【０５９２】
　図４５に例示されるように、
通常遊技状態（低確率遊技状態且つ非時短遊技状態）」では
　
（ケ）
　図面の図３には、大入賞口１６の内部にＳＰルート５１（第１通路）と、抽選ルート５２（第２通路）を備えた態様をみることができる。
　
　ここで、上記（ア）〜（ケ）から、以下の事項が導かれる。
　
（コ）
　上記（ア）に特許請求の範囲として示された
「前記大当たり判定手段により前記大当たり遊技を実行すると判定される確率が所定の確率に設定される低確率遊技状態または前記所定の確率よりも高確率に設定される高確率遊技状態で遊技を制御可能な遊技状態制御手段と、を備え、・・・ることを特徴とする遊技機。」
との記載に対応する明細書の記載をみてみると、上記（カ）の【０１４９】〜【０１５０】には、
「本実施形態において「低確率遊技状態」というのは、第１始動口１４または第２始動口１５に遊技球が入球したことを条件として行われる大当たりの抽選において、大当たりの当選確率が１／５０に設定された遊技状態をいう。
　これに対して「高確率遊技状態」というのは、上記大当たりの当選確率が１／１６に設定された遊技状態をいう。したがって、「高確率遊技状態」では、「低確率遊技状態」よりも、大当たりに当選しやすいこととなる。」
と記載されている。そうすると、上記（ア）における「大当たり遊技を実行すると判定される確率」とは、「第１始動口１４または第２始動口１５に遊技球が入球したことを条件として行われる大当たりの抽選において」の「大当たりの当選確率」であることは明らかである。
　
　そうすると、上記（ア）、（カ）の記載から、
「第１始動口１４または第２始動口１５に遊技球が入球したことを条件として行われる大当たりの抽選において、大当たりの当選確率が所定の確率に設定される低確率遊技状態または上記大当たりの当選確率が前記所定の確率よりも高確率に設定される高確率遊技状態で遊技を制御可能な遊技状態制御手段と、を備えた遊技機である」
との事項が導かれる。
　
（サ）
　上記（ク）の【０５９２】の、
「通常遊技状態（低確率遊技状態且つ非時短遊技状態）」
との記載から、
「通常遊技状態は、低確率遊技状態且つ非時短遊技状態である」
との事項が導かれる。
　
（シ）
　上記（ア）に特許請求の範囲として示された
「前記大当たり遊技手段により前記大当たり遊技が実行されているときに、前記大入賞口に入球した遊技球が前記特定入賞口を通過すると、当該大当たり遊技が終了した後、前記高確率遊技状態にて遊技を進行する高確率遊技状態制御手段と、」
との記載から、「大当たり遊技が実行されているときに、大入賞口に入球した遊技球」が通過すると、「当該大当たり遊技が終了した後、前記高確率遊技状態にて遊技を進行する、」こととなるのは「特定入賞口」であるといえる。
　そうすると、上記（ア）から、
「大当たり遊技が実行されているときに、大入賞口に入球した遊技球が通過すると、当該大当たり遊技が終了した後、前記高確率遊技状態にて遊技を進行する、特定入賞口を備え」
との事項が導かれる。
　
（ス）
　上記（エ）の【００６２】には、
「大入賞口１６に入球した遊技球は、第１可動装置１８によりＳＰルート５１（第１通路）か、抽選ルート５２（第２通路）か、に振り分けられる。」
と記載され、（オ）の【０１３４】には、
「第１可動装置１８は、大当たり遊技における１〜２回目の各ラウンド中に１回作動する。」
と記載され、さらに同【０１３５】には、
「このように、第１可動装置１８の作動時間、すなわち、ＳＰルート５１の開放時間が１５．７５秒に設定されている。」
と記載されている。
　
　そうすると、上記（エ）、（オ）から、
「大入賞口１６に入球した遊技球は、第１可動装置１８によりＳＰルート５１（第１通路）か、抽選ルート５２（第２通路）か、に振り分けられ、
　大当たり遊技における１〜２回目の各ラウンド中に１回作動し、ＳＰルート５１の開放時間が１５．７５秒に設定されている、第１可動装置１８を備え、」
との事項が導かれる。
　
（セ）
　上記（エ）の【００６４】には、
「ＳＰルート５１の先端には特定入賞口１７Ａが設けられている。第１可動装置１８によりＳＰルート５１に案内された遊技球は、特定入賞口１７Ａに入賞する。」
と記載され、同【００６５】には、
「一方、第１可動装置１８により抽選ルート５２に案内された遊技球は、第２可動装置１９か、排出ルート５３か、に案内される。」
と記載され、さらに同【００６８】には、
「よって、第２可動装置１９に案内された遊技球は、まず、第１切り欠き５４ａ〜第４切り欠き５４ｄのいずれかに誘導され、最終的には、ＳＰルート５１を経由して特定入賞口１７Ａに入球するか、非特定入賞口１７Ｂに入球する。すなわち、第２可動装置１９に案内された遊技球は、１／４の確率でＳＰルート５１に案内され、３／４の確率で排出ルート５３に案内される。」
と記載されている。
　さらに、上記（ケ）に示すように、図面の図３には、大入賞口１６の内部にＳＰルート５１（第１通路）と、抽選ルート５２（第２通路）を備えた態様をみることができる。
　
　そうすると、上記（エ）、（ケ）から、
「大入賞口１６の内部にＳＰルート５１（第１通路）と、抽選ルート５２（第２通路）を備え、
　ＳＰルート５１の先端には特定入賞口１７Ａが設けられ、第１可動装置１８によりＳＰルート５１に案内された遊技球は、特定入賞口１７Ａに入賞し、
　一方、第１可動装置１８により抽選ルート５２に案内された遊技球は、第２可動装置１９か、排出ルート５３か、に案内され、第２可動装置１９に案内された遊技球は、まず、第１切り欠き５４ａ〜第４切り欠き５４ｄのいずれかに誘導され、最終的には、第２可動装置１９に案内された遊技球は、１／４の確率でＳＰルート５１に案内されＳＰルート５１を経由して特定入賞口１７Ａに入球するか、３／４の確率で排出ルート５３に案内される」
との事項が導かれる。
　
　そして、上記記載事項（ア）〜（ク）、図面に記載された事項（ケ）及び（ア）〜（ケ）に基づく認定事項（コ）〜（セ）を総合すると、刊行物１には、次の発明（以下、「引用発明１」という。）が記載されていると認められる（ａ〜ｅは、本願補正発明のＡ〜Ｅに対応させて当審にて付与した。）。
　
（引用発明１）
「ａ　通常遊技状態は、低確率遊技状態且つ非時短遊技状態であり、第１始動口１４または第２始動口１５に遊技球が入球したことを条件として行われる大当たりの抽選において、大当たりの当選確率が所定の確率に設定される低確率遊技状態または上記大当たりの当選確率が前記所定の確率よりも高確率に設定される高確率遊技状態で遊技を制御可能な遊技状態制御手段と、を備えた遊技機であって（上記事項の（コ）、（サ）を参照）、
ｂ　大当たり遊技が実行されているときに、大入賞口に入球した遊技球が通過すると、当該大当たり遊技が終了した後、前記高確率遊技状態にて遊技を進行する、特定入賞口を備え（上記事項の（シ）を参照）、
ｃ　大入賞口１６に入球した遊技球は、第１可動装置１８によりＳＰルート５１（第１通路）か、抽選ルート５２（第２通路）か、に振り分けられ、
　大当たり遊技における１〜２回目の各ラウンド中に１回作動し、ＳＰルート５１の開放時間が１５．７５秒に設定されている、第１可動装置１８を備え（上記事項の（ス）を参照）、
ｄ　大入賞口１６の内部にＳＰルート５１（第１通路）と、抽選ルート５２（第２通路）を備え、
　ＳＰルート５１の先端には特定入賞口１７Ａが設けられ、第１可動装置１８によりＳＰルート５１に案内された遊技球は、特定入賞口１７Ａに入賞し、
　一方、第１可動装置１８により抽選ルート５２に案内された遊技球は、第２可動装置１９か、排出ルート５３か、に案内され、第２可動装置１９に案内された遊技球は、まず、第１切り欠き５４ａ〜第４切り欠き５４ｄのいずれかに誘導され、最終的には、第２可動装置１９に案内された遊技球は、１／４の確率でＳＰルート５１に案内されＳＰルート５１を経由して特定入賞口１７Ａに入球するか、３／４の確率で排出ルート５３に案内される（上記事項の（セ）を参照）、
ｅ　遊技機（上記事項の（イ）を参照）。」
　
（３）対比及び判断
　本願補正発明と引用発明１とを、分説に従い対比する（対比の見出しとしての（ａ）〜（ｅ）は、引用発明１の分説構成と対応させた。）。
　
（ａ）引用発明１における構成ａの「遊技機」、「通常遊技状態」、「第１始動口１４または第２始動口１５に遊技球が入球したことを条件として行われる大当たりの抽選」、「大当たりの当選確率」は、それぞれ本願補正発明の構成Ａの「遊技機」、「通常遊技状態」、「当否抽選」、「当選する確率」に相当する。
　また、引用発明１における構成ａの「通常遊技状態」及び「高確率遊技状態」は両者で本願補正発明の「遊技状態」に相当する。
　また、引用発明１によれば、「
通常遊技状態では低確率遊技状態
所定の確率
高確率遊技状態」とは
所定の確率よりも高確率
所定の確率よりも高確率
通常遊技状態よりも当否抽選に当選する確率が高い
　
　してみると、引用発明１における構成ａは、本願補正発明における構成Ａに相当する構成を備えているといえる。
　
（ｂ）引用発明１における構成ｂの「大当たり遊技が実行されているとき」、「大入賞口に入球した遊技球が通過すると」、「当該大当たり遊技が終了した後」、「前記高確率遊技状態にて遊技を進行」、「特定入賞口」は、それぞれ本願補正発明の構成Ｂの「大当たり遊技中」、「遊技媒体が進入したとき」、「当該大当たり遊技終了後」、「前記確率変動状態となることが確定」、「特典領域」に相当する。
　
　してみると、引用発明１における構成ｂは、本願補正発明における構成Ｂに相当する構成を備えているといえる。
　
（ｃ）引用発明１における構成ｃの「遊技球」は本願補正発明の「遊技媒体」に相当し、引用発明１における構成ｃの「ＳＰルート５１（第１通路）」と「抽選ルート５２（第２通路）」は、両者で本願補正発明の「複数の遊技媒体通路」に相当する。
　そして引用発明１における構成ｃの「大入賞口１６に入球した遊技球」、「ＳＰルート５１（第１通路）か、抽選ルート５２（第２通路）か、に振り分けられ」、「第１可動装置１８」は、それぞれ本願補正発明の「所定位置に到達した遊技媒体」、「複数の遊技媒体通路のいずれかに振り分ける」、「振分装置」に相当する。
　
　ここで、本願補正発明の構成Ｃにおける「予め設定された振分パターン」との構成の定義について、本願の明細書をみてみる。すると、段落【００４８】には、
「なお、本実施形態にかかる遊技機１は、共通路２０に進入した遊技球を上位通路１１と下位通路１２に交互に振り分けるものであることを説明したが、これ以外の振分パターンに設定することを否定するわけではない。例えば、下位通路１２、下位通路１２、下位通路１２、下位通路１２、上位通路１１、下位通路１２・・・というように、一方の遊技球通路１０に連続的に振り分けられることがある振分パターンとしてもよい。
・・・
また、
振分パターンは、遊技者が勝手に変更できないもの、かつ振分対象となる遊技球通路１０を毎回抽選等によって決めるものでないものであればよく、
「予め設定された」とは、遊技中に変化するものでないという意
と記載されている。そうすると、
本願補正発明における「予め設定された振分パターン」とは、遊技中に変化するものでなく、かつ、遊技者が勝手に変更できないもの、かつ振分対象となる遊技球通路を毎回抽選等によって決めるものでないものであればよいと解するのが相当
　
　そして、上記下線を付した理解に基づいて引用発明１の構成ｃの「大当たり遊技における１〜２回目の各ラウンド中に１回作動し、ＳＰルート５１の開放時間が１５．７５秒に設定されている」との事項をみると、当該設定が遊技中に変化するものでなく、かつ、遊技者が勝手に変更できないもの、かつ振分対象となる遊技球通路を毎回抽選等によって決めるものでないものであることは明らかである。
　してみれば、引用発明１の構成ｃの「大当たり遊技における１〜２回目の各ラウンド中に１回作動し、ＳＰルート５１の開放時間が１５．７５秒に設定」は本願補正発明の構成Ｃの「予め設定された振分パターン」に相当する。
　
　したがって、引用発明１における構成ｃは、本願補正発明における構成Ｃに相当する構成を備えているといえる。
　
（ｄ）引用発明１における構成ｄの「遊技球」、「特定入賞口」がそれぞれ本願補正発明の「遊技媒体」、「特典領域」に相当することは上記（ｂ）（ｃ）にて説示のとおりであるから、引用発明１における構成ｄの「遊技球は、特定入賞口１７Ａに入賞」は、本願補正発明の「特典領域に遊技媒体が進入すること」に相当する。
　そして、引用発明１における構成ｄの「ＳＰルート５１（第１通路）」は、「ＳＰルート５１の先端には特定入賞口１７Ａが設けられ、第１可動装置１８によりＳＰルート５１に案内された遊技球は、特定入賞口１７Ａに入賞」するのだから、当該「ＳＰルート５１（第１通路）」は本願補正発明の構成Ｄの「遊技媒体が振り分けられたとき前記特典領域に遊技媒体が進入することが確定する通路」に相当する。
　
　また、引用発明１における構成ｄの「抽選ルート５２（第２通路）」は、「第１可動装置１８により抽選ルート５２に案内された遊技球は、第２可動装置１９か、排出ルート５３か、に案内され、第２可動装置１９に案内された遊技球は、まず、第１切り欠き５４ａ〜第４切り欠き５４ｄのいずれかに誘導され、最終的には、第２可動装置１９に案内された遊技球は、１／４の確率でＳＰルート５１に案内されＳＰルート５１を経由して特定入賞口１７Ａに入球するか、３／４の確率で排出ルート５３に案内される」のだから、当該「抽選ルート５２（第２通路）」は、特定入賞口１７Ａに入球しない可能性のある通路ということができる。
　してみれば、引用発明１における構成ｄの「抽選ルート５２（第２通路）」は、本願補正発明における「遊技媒体が振り分けられたとき前記特典領域に遊技媒体が進入しない可能性がある通路」に相当する。
　
　したがって、引用発明１における構成ｄは、本願補正発明における構成Ｄに相当する構成を備えているといえる。
　
（ｅ）上記（ａ）にて説示のとおり、引用発明１における構成ｄの「遊技機」は本願補正発明の構成Ｅの「遊技機」に相当する。
　したがって、引用発明１における構成ｅは、本願補正発明における構成Ｅに相当する構成を備えているといえる。
　
　してみると、本願補正発明と引用発明１では、発明特定事項に差異はなく、本願補正発明は、引用発明１と同一である。
　仮に相違点があるとしても、本願補正発明は、当業者が引用発明１に基づいて容易に発明をすることができたものである。
　
（４）　請求人の主張及び本願補正発明が奏する効果について 
　
　審判請求人は、本願補正発明について、審判請求書の【請求の理由】の「（４）本願発明が特許されるべき理由」にて、今般の補正により、本願発明は、特典領域への遊技球の進入により、遊技者に対し、確率変動状態が付与されるものであることが明確となり、かかる点において、本願発明と引用文献１に記載される発明は相違するとの旨の主張をしている。
　しかしながら、引用発明１もまた、特典領域への遊技球の進入により、遊技者に対し、確率変動状態が付与されるものであることは上記説示のとおりであり、請求人の主張は採用することができない。 
　
　そして、本願補正発明が奏する効果について検討しても、当業者が引用発明１から予測し得るものであって、格別のものということはできない。
　
　したがって、請求人の主張は採用することができない。 
　
（５）まとめ
　以上のように、本願補正発明は、引用発明１と同一の発明であり特許法第２９条第１項第３号に該当し、特許出願の際独立して特許を受けることができない。又は、本願補正発明は、当業者が引用発明１に基づいて容易に発明をすることができたものであるから、特許法第２９条第２項の規定により、特許出願の際独立して特許を受けることができない。
　
４．　補正の却下の決定についてのむすび 
　上記３．より、本件補正は、特許法第１７条の２第６項において準用する同法第１２６条第７項の規定に違反するので、同法第１５９条第１項において読み替えて準用する同法第５３条第１項の規定により却下すべきものである。
　
　
第３　本願発明について 
１．　本願発明 
　本件補正は上記のとおり却下されたので、本願の請求項１に係る発明（以下、「本願発明」という。）は、平成２８年８月２日付け手続補正書により補正された特許請求の範囲の請求項１に記載された次のとおりのものである（Ａ〜Ｄは本願発明を分説するため当審で付した。）。 
　
（本願発明）
「【請求項１】
Ａ　遊技媒体が進入したときに、遊技者の利益となる特典が付与されることが確定する特典領域と、
Ｂ所定位置に到達した遊技媒体を、予め設定された振分パターンに沿って、複数の遊技媒体通路のいずれかに振り分ける振分装置と、
を備え、
Ｃ　前記複数の遊技媒体通路は、遊技媒体が振り分けられたとき前記特典領域に遊技媒体が進入しない可能性がある通路と、遊技媒体が振り分けられたとき前記特典領域に遊技媒体が進入することが確定する通路とを含むことを特徴とする
Ｄ遊技機。」
　
２．　刊行物に記載された事項 
　これに対して、原査定の拒絶の理由に引用され、本願の出願前に頒布された刊行物である特開２０１４−９０７５６号公報（以下、「刊行物２」という。）には、「遊技機」の発明に関し、図面と共に以下の事項が記載されている（下線は当審で付した。）。
　
（ア）
「【請求項１】
　第１特別図柄の変動表示を行う第１特別図柄表示装置と、
　第２特別図柄の変動表示を行う第２特別図柄表示装置と、
　前記第１特別図柄の変動表示および前記第２特別図柄の変動表示を並行して実行可能とする制御を行う表示制御手段と、
　前記第１特別図柄または前記第２特別図柄が変動表示を経て所定の当り態様で停止表示されると、閉鎖状態にある大入賞口を開放状態に変化させる特別遊技を行う特別遊技実行手段と、
　
入球した遊技球を第１ルートまたは第２ルートに交互に振り分ける振り分け部
　前記第２始動部による遊技球の検知状態を、前記第２ルートに振り分けられた遊技球を検知不能な第１状態と、前記第２ルートに振り分けられた遊技球を検知可能な第２状態と、の何れかに切り換える検知状態切換手段と、
　前記第１特別図柄または前記第２特別図柄が前記変動表示を経て所定の当り態様で停止表示されると、閉鎖状態にある大入賞口を開放状態に変化させる特別遊技を行う特別遊技実行手段と、
　を備えることを特徴とする遊技機。」
　
（イ）
「【００２６】
　以下、発明を実施するための形態を示す実施例について図面に基づいて説明する。以下に示す各実施例では、本発明を「セブン機」と称する遊技機（
パチンコ機
【実施例１】」
　
（ウ）
「【００５０】
　図５に示すように、
流下通路７３は、遊技領域１１（右領域１１Ｒ）を流下する遊技球が入球可能な入球口７３ａを上端に開口させている。また、流下通路７３は入球口７３ａから垂下する導入通路７３ｂと、導入通路７３ｂの下端部から左方向に分岐する第１分岐通路７３ｃと、導入通路７３ｂの下端部から右方向に分岐する第２分岐通路７３ｄと、第２分岐通路７３ｄおよび第１分岐通路７３ｃを連絡する連絡通路７３ｅとを備える。
・・・
【００５２】
　
ここで、導入通路７３ｂによって「導入ルートＬ」が構成され、第１分岐通路７３ｃによって「第１ルートＬ１」の前半側部分（遊技盤１０の前面部１０ａ側に位置する部分）が構成され、第２分岐通路７３ｄによって「第２ルートＬ２」の前半側部分（遊技盤１０の前面部１０ａ側に位置する部分）が構成される。また、連絡通路７３ｅによって、第２ルートＬ２に進入した遊技球を、第１ルートＬ１に到達させるための「第３ルートＬ３」が構成される。
【００５３】
　図５に示すように、第１ルートＬ１は、遊技盤１０に設けられた貫通孔１０ｂを介して遊技盤１０の裏側に到達している（図４を参照）。そして、
第１ルートＬ１の終端側には、第１ルートＬ１に進入した遊技球を検知するための第１始動口入賞検知スイッチ１７ｔ
が配設されている。
第２ルートＬ２の終端側には、第２ルートＬ２に進入した遊技球を検知するための第２始動口入賞検知スイッチ１７ｕ
が配設されている。
【００５４】
　図５に示すように、
通路部材７１のうち、第１ルートＬ１と第２ルートＬ２とが合流する部分（以下、「合流部Ｇ」という。）の直下において、
【００５５】
　図５に示すように、
通路部材７１および前板部材７２の一体品において合流部Ｇを構成する部位には、振分部材７５が揺動可能な状態に配置されている。
・・・
【００５７】
　
普通電動役物７６は、
第２ルートＬ２の経路途中の開閉を行うための開閉部材７６ａと、この開閉部材７６ａを作動させるための普通電動役物ソレノイド１７ｃ（図１２参照）と、を備えている。
・・・
【００５９】
　また、
普通電動役物７６が閉鎖状態（第１状態）となると、
【００６０】
　一方、普通電動役物ソレノイド１７ｃに通電を行うと、図１０（ｂ）に示すように、開閉部材７６ａは反時計回りの方向（正面視）に回転し、第２ルートＬ２の経路途中を開放する姿勢となるため、第２ルートＬ２に振り分けられた遊技球は第２始動部（第２始動口入賞検知スイッチ１７ｕ）に到達することが可能となる。つまり、
開閉部材７６ａが第２ルートＬ２の経路途中の閉鎖を解除すると（開状態になると）、第２ルートＬ２に振り分けられた遊技球が第２始動部（第２始動口入賞検知スイッチ１７ｕ）によって検知可能な状態（第２状態）となる。
　
（エ）
「【００６３】
　図８（ａ）に示すように、
振分部材７５の姿勢が「第１姿勢」であるとき、
遊技球Ｙ１が入球し、導入ルートＬを通過すると、
このとき、
振分部材７５は反時計回転方向（正面視）に回転し、その姿勢が第２姿勢となる。このとき、
遊技球Ｙ１は第１分岐通路７３ｃ（第１ルートＬ１）に進入する。そして、この第１分岐通路７３ｃ（第１ルートＬ１）に進入した遊技球Ｙ１は、第１始動口入賞検知スイッチ１７ｔ（図１２参照）によって検知される。
【００６４】
　図９（ａ）に示すように、
振分部材７５の姿勢が「第２姿勢」であるとき、
遊技球Ｙ２が入球し、導入ルートＬを通過すると、
このとき、
振分部材７５は時計回転方向（正面視）に回転し、その姿勢が第１姿勢となる。このとき、
遊技球Ｙ２は第２分岐通路７３ｄ（第２ルートＬ２）に進入する。
　
（オ）
「【０１０５】
　Ａ．賞球払出処理（Ｓ８０）
　
主制御基板２００に搭載されたＣＰＵ２０１は
すなわち、始動口入賞検知スイッチ１７ｓ、１７ｔ、１７ｕや
の状態を検出して遊技球が入球したか否かを判断する。そして、遊技球が入球していた場合は、この情報を、主制御基板２００に搭載されているＲＡＭ２０２の所定領域に記憶する。そして、ＲＡＭ２０２上に記憶されている情報に基づいて、賞球の払出信号を払出制御基板２４０に向かって出力する。
【０１０６】
　主制御部２００Ａから払出制御部２４０Ａへ払出信号を出力するに際しては、先ず、払出制御部２４０Ａ（払出制御基板２４０）に向かってストローブ信号を出力し、続いて信号データを出力する。これに対して、払出制御部２４０Ａを構成する
払出制御基板２４０に搭載されたＣＰＵは、
遊技球払出装置（図示を省略）に搭載された払出モータ１０９ｍに駆動信号を出力して賞球の払い出しを行う。
　
（カ）
「【０１６７】
　
次に、図３２を用いて実施例１の他の変形例（以下、「変形例２」という。）を説明する。この変形例２では、第２始動入賞装置１７ｂが、第３ルートＬ３を備えない点が実施例１と異なる。
また、第２分岐通路７３ｄの中間部には排出口７３ｙが開口するとともに、この排出口７３ｙに連なる排出通路７３ｚが設けられている。
【０１６８】
　
変形例２の普通電動役物７６は、開放状態（第２状態）にあるとき、開閉部材７６ａによって排出口７３ｙを閉鎖し、開放状態（第１状態）にあるとき、開閉部材７６ａによって排出口７３ｙを開放する。つまり、普通電動役物ソレノイド１７ｃへの通電を行わないとき、排出口７３ｙを開放する状態となり、第２分岐通路７３ｄ内の遊技球が排出口７３ｙを通過して排出通路７３ｚに進入し、排出通路７３ｚの出口７３１ｚを通じて遊技領域１１に排出される。
【０１６９】
　このように排出される遊技球は、遊技領域１１を更に流下した後、アウト口１８を通じて、遊技領域１１外に排出される。但し、変形例２においては、出口７３１ｚを他の入賞装置（例えば、一般入賞装置４０、４１）の上方に配置する等して、出口７３１ｚを通じて遊技領域１１に排出された遊技球が、他の入賞装置に入賞する機会を付与してもよい。そして、この変形例２によっても、実施例１と同様な効果を得ることができる。但し、実施例１に示すように、「普通電動役物７６が閉鎖状態（第１状態）にあるときに、第２ルートに遊技球が振り分けられると、この遊技球を第３ルートＬ３によって第１始動部（第１始動口入賞検知スイッチ１７ｔ）に誘導する構成」を備える場合には、普通電動役物７６が閉鎖状態（第１状態）であるときに第２ルートＬ１に遊技球が振り分けられても、遊技者の期待感（特別遊技実行に関する期待感）を維持することができるという、メリットを生じさせることができる。」
　
（キ）
　図３２から、
開閉部材７６ａが第２ルートＬ２の経路途中に設けられ、振分部材７５と開閉部材７６ａの間にも第２ルートＬ２を備えた
　
　ここで、上記（ア）〜（キ）から、以下の事項が導かれる。
　
（ク）
　上記（ウ）の【００５３】の
「・・・第１ルートＬ１の終端側には、第１ルートＬ１に進入した遊技球を検知するための第１始動口入賞検知スイッチ１７ｔ・・・が配設されている。・・・第２ルートＬ２の終端側には、第２ルートＬ２に進入した遊技球を検知するための第２始動口入賞検知スイッチ１７ｕ・・・が配設されている。」
との記載から、
「第１ルートＬ１に進入した遊技球を検知するための第１始動口入賞検知スイッチ１７ｔが配設される、第１ルートＬ１の終端側と、
　第２ルートＬ２に進入した遊技球を検知するための第２始動口入賞検知スイッチ１７ｕが配設される、第２ルートＬ２の終端側を備え、」
との事項が導かれる。
　
（ケ）
　上記（オ）の【０１０５】〜【０１０６】の
「【０１０５】
　・・・
　主制御基板２００に搭載されたＣＰＵ２０１は、・・・始動口入賞検知スイッチ１７ｓ、１７ｔ、１７ｕ・・・の状態を検出して遊技球が入球したか否かを判断する。そして、遊技球が入球していた場合は、この情報を、主制御基板２００に搭載されているＲＡＭ２０２の所定領域に記憶する。そして、ＲＡＭ２０２上に記憶されている情報に基づいて、賞球の払出信号を払出制御基板２４０に向かって出力する。・・・
【０１０６】
・・・払出制御基板２４０に搭載されたＣＰＵは、・・・遊技球払出装置・・・に搭載された払出モータ１０９ｍに駆動信号を出力して賞球の払い出しを行う。・・・」
との記載から、
「主制御基板２００に搭載されたＣＰＵ２０１は、始動口入賞検知スイッチ１７ｔ、１７ｕの状態を検出して遊技球が入球したか否かを判断し、遊技球が入球していた場合はこの情報を、主制御基板２００に搭載されているＲＡＭ２０２の所定領域に記憶し、ＲＡＭ２０２上に記憶されている情報に基づいて、賞球の払出信号を払出制御基板２４０に向かって出力し、
　払出制御基板２４０に搭載されたＣＰＵは、遊技球払出装置に搭載された払出モータ１０９ｍに駆動信号を出力して賞球の払い出しを行い、」
との事項が導かれる。
　
（コ）
　上記（ウ）の【００５０】には、
「・・・流下通路７３は、遊技領域１１（右領域１１Ｒ）を流下する遊技球が入球可能な入球口７３ａを上端に開口させている。また、流下通路７３は入球口７３ａから垂下する導入通路７３ｂと、導入通路７３ｂの下端部から左方向に分岐する第１分岐通路７３ｃと、導入通路７３ｂの下端部から右方向に分岐する第２分岐通路７３ｄと、第２分岐通路７３ｄおよび第１分岐通路７３ｃを連絡する連絡通路７３ｅとを備える。」
と記載されている。一方、同【００５２】には
「ここで、導入通路７３ｂによって「導入ルートＬ」が構成され、第１分岐通路７３ｃによって「第１ルートＬ１」の前半側部分（遊技盤１０の前面部１０ａ側に位置する部分）が構成され、第２分岐通路７３ｄによって「第２ルートＬ２」の前半側部分（遊技盤１０の前面部１０ａ側に位置する部分）が構成される。また、連絡通路７３ｅによって、第２ルートＬ２に進入した遊技球を、第１ルートＬ１に到達させるための「第３ルートＬ３」が構成される。」
と記載され、さらに上記（エ）の【００６３】、【００６４】には、「第１分岐通路７３ｃ（第１ルートＬ１）」、「第２分岐通路７３ｄ（第２ルートＬ２）」と、括弧書きを以て「第１分岐通路７３ｃ」と「第１ルートＬ１」、「第２分岐通路７３ｄ」と「第２ルートＬ２」が併記されていることからみて、上記（ウ）の【００５０】における「導入通路７３ｂ」、「第１分岐通路７３ｃ」、「第２分岐通路７３ｄ」が、それぞれ「導入ルートＬ」、「第１ルートＬ１」、「第２ルートＬ２」といいかえられることは明らかである。
　したがって、上記（ウ）、（エ）から、
「遊技球が入球可能な入球口７３ａを上端に開口させ、入球口７３ａから垂下する導入ルートＬと、導入ルートＬの下端部から左方向に分岐する第１ルートＬ１と、導入ルートＬの下端部から右方向に分岐する第２ルートＬ２と、を備え、」
との事項が導かれる。
　
（サ）
　上記（ア）の請求項１には、
「入球した遊技球を第１ルートまたは第２ルートに交互に振り分ける振り分け部」
と記載されている一方、上記（ウ）の【００５４】、【００５５】には、
「【００５４】
　・・・通路部材７１のうち、第１ルートＬ１と第２ルートＬ２とが合流する部分（以下、「合流部Ｇ」という。）の直下において、・・・
【００５５】
  ・・・通路部材７１および前板部材７２の一体品において合流部Ｇを構成する部位には、振分部材７５が揺動可能な状態に配置されている。」
と記載されており、上記（ア）の請求項１の「第１ルート」、「第２ルート」、「振り分け部」がそれぞれ（ウ）の【００５４】、【００５５】の「第１ルートＬ１」、「第２ルートＬ２」、「振分部材７５」と対応していることは明らかである。
　そうすると上記（ア）、（ウ）から、
「入球した遊技球を第１ルートＬ１または第２ルートＬ２に交互に振り分ける振分部材７５」
との事項を導くことができる。
　
（シ）
　上記（エ）の【００６３】〜【００６４】には
「【００６３】
　・・・振分部材７５の姿勢が「第１姿勢」であるとき、・・・遊技球Ｙ１が入球し、導入ルートＬを通過すると、・・・。このとき、・・・振分部材７５は反時計回転方向（正面視）に回転し、その姿勢が第２姿勢となる。このとき、・・・遊技球Ｙ１は第１分岐通路７３ｃ（第１ルートＬ１）に進入する。・・・
【００６４】
　・・・振分部材７５の姿勢が「第２姿勢」であるとき、・・・遊技球Ｙ２が入球し、導入ルートＬを通過すると、・・・。このとき、・・・振分部材７５は時計回転方向（正面視）に回転し、その姿勢が第１姿勢となる。このとき、・・・遊技球Ｙ２は第２分岐通路７３ｄ（第２ルートＬ２）に進入する。」
と記載されており、上記（エ）から、
「振分部材７５の姿勢が「第１姿勢」であるとき、遊技球Ｙ１が入球し、導入ルートＬを通過すると、振分部材７５は反時計回転方向（正面視）に回転し、その姿勢が第２姿勢となり、遊技球Ｙ１は第１ルートＬ１に進入し、
　振分部材７５の姿勢が「第２姿勢」であるとき、遊技球Ｙ２が入球し、導入ルートＬを通過すると、振分部材７５は時計回転方向（正面視）に回転し、その姿勢が第１姿勢となり、遊技球Ｙ２は第２ルートＬ２に進入し、」
との事項が導かれる。
　
（ス）
　上記（カ）には、実施例１の他の変形例（変形例２）として【０１６７】〜【０１６８】に
「【０１６７】
　次に、図３２を用いて実施例１の他の変形例（以下、「変形例２」という。）を説明する。この変形例２では、第２始動入賞装置１７ｂが、第３ルートＬ３を備えない
点が実施例１と異なる
第２分岐通路７３ｄの中間部には排出口７３ｙが開口するとともに、この排出口７３ｙに連なる排出通路７３ｚが設けられ
【０１６８】
　変形例２の普通電動役物７６は、開放状態（第２状態）にあるとき、
開閉部材７６ａによって排出口７３ｙを閉鎖し、開放状態（第１状態）にあるとき、開閉部材７６ａによって排出口７３ｙを開放する
第２分岐通路７３ｄ内の遊技球が排出口７３ｙを通過して排出通路７３ｚに進入し、排出通路７３ｚの出口７３１ｚを通じて遊技領域１１に排出
と記載されており、上記「・・・点が実施例１と異なる」との記載態様からみて、上記記載以外の箇所の構成が実施例１と同じであることは明らかである。
（当審注：上記【０１６８】中には「
開放
第１
開放
第２
閉鎖状態（第１状態）
閉鎖を解除
開状態
第２
開放
第１
閉鎖
第１
　
　一方、実施例１として、上記（ウ）、（エ）には、
「【００５７】
　普通電動役物７６は、・・・、第２ルートＬ２の経路途中の開閉を行うための開閉部材７６ａと、この開閉部材７６ａを作動させるための普通電動役物ソレノイド１７ｃ（図１２参照）と、を備えている。」
「【００６０】
・・・開閉部材７６ａが第２ルートＬ２の経路途中の閉鎖を解除すると（開状態になると）、第２ルートＬ２に振り分けられた遊技球が第２始動部（第２始動口入賞検知スイッチ１７ｕ）によって検知可能な状態（第２状態）となる。・・・」
「【００６３】
　・・・振分部材７５の姿勢が「第１姿勢」であるとき、・・・遊技球Ｙ１が入球し、導入ルートＬを通過すると、・・・遊技球Ｙ１は第１分岐通路７３ｃ（第１ルートＬ１）に進入する。そして、この第１分岐通路７３ｃ（第１ルートＬ１）に進入した遊技球Ｙ１は、第１始動口入賞検知スイッチ１７ｔ（図１２参照）によって検知される。」
と記載されている。さらに、上記（コ）にて説示のとおり「第１分岐通路７３ｃ」、「第２分岐通路７３ｄ」が、それぞれ「第１ルートＬ１」、「第２ルートＬ２」といいかえることができることは明らかであることから、これら（ウ）、（エ）、（カ）、（コ）を総合すると、
「第２ルートＬ２の中間部には排出口７３ｙが開口するとともに、この排出口７３ｙに連なる排出通路７３ｚが設けられ、
　第２ルートＬ２の経路途中の開閉を行うための開閉部材７６ａと、この開閉部材７６ａを作動させるための普通電動役物ソレノイド１７ｃと、を備え、
　開閉部材７６ａが第２ルートＬ２の経路途中の閉鎖を解除すると（開状態になると）、第２ルートＬ２に振り分けられた遊技球が第２始動口入賞検知スイッチ１７ｕによって検知可能な状態（第２状態）となり、
　開閉部材７６ａが第２ルートＬ２の経路途中を閉鎖する閉鎖状態（第１状態）にあるとき、開閉部材７６ａによって排出口７３ｙを開放し、第２ルートＬ２内の遊技球が排出口７３ｙを通過して排出通路７３ｚに進入し、排出通路７３ｚの出口７３１ｚを通じて遊技領域１１に排出され、
　振分部材７５の姿勢が「第１姿勢」であるとき、遊技球Ｙ１が入球し、導入ルートＬを通過すると、第１ルートＬ１に進入し、この第１ルートＬ１に進入した遊技球Ｙ１は、第１始動口入賞検知スイッチ１７ｔによって検知される」
との事項が導かれる。
　
　そして、上記記載事項（ア）〜（カ）、図面に記載された事項（キ）及び（ア）〜（キ）に基づく認定事項（ク）〜（ス）を総合すると、刊行物２には、次の発明（以下、「引用発明２」という。）が記載されていると認められる（ａ〜ｄは、本願補正発明のＡ〜Ｄに対応させて当審にて付与した。）。
　
（引用発明２）
「ａ　第１ルートＬ１に進入した遊技球を検知するための第１始動口入賞検知スイッチ１７ｔが配設される、第１ルートＬ１の終端側と、
　第２ルートＬ２に進入した遊技球を検知するための第２始動口入賞検知スイッチ１７ｕが配設される、第２ルートＬ２の終端側を備え（上記事項の（ク）参照）、
　主制御基板２００に搭載されたＣＰＵ２０１は、始動口入賞検知スイッチ１７ｔ、１７ｕの状態を検出して遊技球が入球したか否かを判断し、遊技球が入球していた場合はこの情報を、主制御基板２００に搭載されているＲＡＭ２０２の所定領域に記憶し、ＲＡＭ２０２上に記憶されている情報に基づいて、賞球の払出信号を払出制御基板２４０に向かって出力し、
　払出制御基板２４０に搭載されたＣＰＵは、遊技球払出装置に搭載された払出モータ１０９ｍに駆動信号を出力して賞球の払い出しを行い（上記事項の（ケ）参照）、
ｂ　遊技球が入球可能な入球口７３ａを上端に開口させ、入球口７３ａから垂下する導入ルートＬと、導入ルートＬの下端部から左方向に分岐する第１ルートＬ１と、導入ルートＬの下端部から右方向に分岐する第２ルートＬ２と、を備え（上記（コ）参照）、
　入球した遊技球を第１ルートＬ１または第２ルートＬ２に交互に振り分ける振分部材７５を備え（上記（サ）参照）、
　振分部材７５の姿勢が「第１姿勢」であるとき、遊技球Ｙ１が入球し、導入ルートＬを通過すると、振分部材７５は反時計回転方向（正面視）に回転し、その姿勢が第２姿勢となり、遊技球Ｙ１は第１ルートＬ１に進入し、
　振分部材７５の姿勢が「第２姿勢」であるとき、遊技球Ｙ２が入球し、導入ルートＬを通過すると、振分部材７５は時計回転方向（正面視）に回転し、その姿勢が第１姿勢となり、遊技球Ｙ２は第２ルートＬ２に進入し（上記（シ）参照）、
ｃ　遊技球が入球可能な入球口７３ａを上端に開口させ、入球口７３ａから垂下する導入ルートＬと、導入ルートＬの下端部から左方向に分岐する第１ルートＬ１と、導入ルートＬの下端部から右方向に分岐する第２ルートＬ２と、を備え（上記（コ）参照）、
　第２ルートＬ２の中間部には排出口７３ｙが開口するとともに、この排出口７３ｙに連なる排出通路７３ｚが設けられ、
　第２ルートＬ２の経路途中の開閉を行うための開閉部材７６ａと、この開閉部材７６ａを作動させるための普通電動役物ソレノイド１７ｃと、を備え、（上記（ス）参照）
　開閉部材７６ａが第２ルートＬ２の経路途中に設けられ、振分部材７５と開閉部材７６ａの間にも第２ルートＬ２を備え（上記（キ）参照）、
　開閉部材７６ａが第２ルートＬ２の経路途中の閉鎖を解除すると（開状態になると）、第２ルートＬ２に振り分けられた遊技球が第２始動口入賞検知スイッチ１７ｕによって検知可能な状態（第２状態）となり、
　開閉部材７６ａが第２ルートＬ２の経路途中を閉鎖する閉鎖状態（第１状態）にあるとき、開閉部材７６ａによって排出口７３ｙを開放し、第２ルートＬ２内の遊技球が排出口７３ｙを通過して排出通路７３ｚに進入し、排出通路７３ｚの出口７３１ｚを通じて遊技領域１１に排出され、
　振分部材７５の姿勢が「第１姿勢」であるとき、遊技球Ｙ１が入球し、導入ルートＬを通過すると、第１ルートＬ１に進入し、この第１ルートＬ１に進入した遊技球Ｙ１は、第１始動口入賞検知スイッチ１７ｔによって検知される（上記（キ）、（ス）参照）、
ｄ　遊技機（パチンコ機）１（上記（イ）の【００２６】参照）」
　
３．　対比、判断
　本願発明と引用発明２とを、分説に従い対比する（対比の見出しとしての（ａ）〜（ｄ）は、引用発明２の分説構成と対応させた。）。
　
（ａ）引用発明２における構成ａの「遊技球が入球したか否かを判断し、遊技球が入球していた場合」、「賞球の払い出し」は、それぞれ本願発明の構成Ａの「遊技媒体が進入したとき」「遊技者の利益となる特典が付与されること」に相当する。
　また、引用発明２における構成ａでは「始動口入賞検知スイッチ１７ｔ、１７ｕの状態を検出して遊技球が入球したか否かを判断し、遊技球が入球していた場合」には、「賞球の払い出し」を行っているのだから、引用発明２において「遊技球が入球していた場合」（遊技媒体が進入したとき）に「賞球の払い出し」（遊技者の利益となる特典が付与されること）が確定していることは明らかである。
　そして、引用発明２における構成ａにおいて、「第１始動口入賞検知スイッチ１７ｔが配設される、第１ルートＬ１の終端側」と、「同第２始動口入賞検知スイッチ１７ｕが配設される、第２ルートＬ２の終端側」は、いずれも本願発明の構成Ａの「特典領域」に相当する。
　
　してみると、引用発明２における構成ａは、本願補正発明における構成Ａに相当する構成を備えているといえる。
　
（ｂ）引用発明２における構成ｂの「導入ルートＬ」、「第１ルートＬ１」と「第２ルートＬ２」、「振分部材７５」は、それぞれ本願発明の構成Ｂの「所定位置」、「複数の遊技媒体通路」、「振分装置」に相当し、引用発明２における構成ｂの「第１ルートＬ１または第２ルートＬ２」は本願発明の構成Ｂの「複数の遊技媒体通路のいずれか」に相当する。
　そして引用発明２における構成ｂの「遊技球Ｙ１が入球し、導入ルートＬを通過する」ときの「遊技球Ｙ１」と、「遊技球Ｙ２が入球し、導入ルートＬを通過する」ときの「遊技球Ｙ２」は、それぞれ本願発明の「所定位置に到達した遊技媒体」に相当する。
　さらに、引用発明２における構成ｂにおける振分部材７５に関する、
「振分部材７５の姿勢が「第１姿勢」であるとき、遊技球Ｙ１が入球し、導入ルートＬを通過すると、振分部材７５は反時計回転方向（正面視）に回転し、その姿勢が第２姿勢となり、遊技球Ｙ１は第１ルートＬ１に進入し、
　振分部材７５の姿勢が「第２姿勢」であるとき、遊技球Ｙ２が入球し、導入ルートＬを通過すると、振分部材７５は時計回転方向（正面視）に回転し、その姿勢が第１姿勢となり、遊技球Ｙ２は第２ルートＬ２に進入し」
との事項によれば、振分部材７５は、結果として遊技球を、第１ルートＬ１と第２ルートＬ２に交互に振り分けているといえるから、引用発明２の構成ｂの「振分部材７５」は本願発明の構成Ｂの「予め設定された振分パターンに沿って、複数の遊技媒体通路のいずれかに振り分ける振分装置」に相当するものということができる。
　
　してみると、引用発明２における構成ｂは、本願補正発明における構成Ｂに相当する構成を備えているといえる。
　
（ｃ）引用発明２における構成ｃの「第１始動口入賞検知スイッチ１７ｔが配設される、第１ルートＬ１の終端側」と、「同第２始動口入賞検知スイッチ１７ｕが配設される、第２ルートＬ２の終端側」、「第１ルートＬ１」と「第２ルートＬ２」がそれぞれ本願発明の構成Ｃの「特典領域」、「複数の遊技媒体通路」に相当することは上記（ａ）（ｂ）にて説示のとおりであり、引用発明２における構成ｃの「第１ルートＬ１」と「第２ルートＬ２」はそれぞれ本願発明の通路にも相当する。
　また、引用発明２における構成ｃでは「振分部材７５の姿勢が「第１姿勢」であるとき、遊技球Ｙ１が入球し、導入ルートＬを通過すると、第１ルートＬ１に進入し、この第１ルートＬ１に進入した遊技球Ｙ１は、第１始動口入賞検知スイッチ１７ｔによって検知される」のだから、第１ルートＬ１（本願発明の通路に相当）が、遊技球（遊技媒体）が「第１ルートＬ１の終端側」（特典領域）にまで進入することが確定している通路であることは明らかである。
　さらに、引用発明２における構成ｃの「開閉部材７６ａが第２ルートＬ２の経路途中の閉鎖を解除すると（開状態になると）、第２ルートＬ２に振り分けられた遊技球が第２始動口入賞検知スイッチ１７ｕによって検知可能な状態（第２状態）」では、遊技球（遊技媒体）は「第２始動口入賞検知スイッチ１７ｕが配設」されている「第２ルートＬ２の終端側」（特典領域）に進入することは明らかであり、一方、引用発明２では「開閉部材７６ａが第２ルートＬ２の経路途中を閉鎖する閉鎖状態（第１状態）にあるとき、開閉部材７６ａによって排出口７３ｙを開放し、第２ルートＬ２内の遊技球が排出口７３ｙを通過して排出通路７３ｚに進入し、排出通路７３ｚの出口７３１ｚを通じて遊技領域１１に排出」されるのだから、「開閉部材７６ａが第２ルートＬ２の経路途中を閉鎖する閉鎖状態（第１状態）にあるとき」に第２ルートＬ２に振り分けられた遊技球は、「第１始動口入賞検知スイッチ１７ｔが配設される、第１ルートＬ１の終端側」（特典領域）へも、「同第２始動口入賞検知スイッチ１７ｕが配設される、第２ルートＬ２の終端側」（特典領域）へも進入しないことは明らかである。
　そうすると、引用発明２において、
「振分部材７５と開閉部材７６ａの間」の「第２ルートＬ２」での遊技球
進入しない可能性がある
　してみると、引用発明２における「第２ルートＬ２」のうち、「振分部材７５と開閉部材７６ａの間」の「第２ルートＬ２」は、本願発明の「遊技媒体が振り分けられたとき前記特典領域に遊技媒体が進入しない可能性がある通路」に相当する。
　
　したがって、引用発明２における構成ｃは、本願補正発明における構成Ｃに相当する構成を備えているといえる。
　
（ｄ）引用発明２における「遊技機（パチンコ機）１」は本願発明の「遊技機」に相当する。
　
　してみると、引用発明２における構成ｄは、本願発明における構成Ｄに相当するといえる。
　
　したがって、本願発明と引用発明２では、発明特定事項に差異はなく、本願発明は引用発明２と同一である。
　仮に相違点があるとしても、本願発明は、当業者が引用発明２に基づいて容易に発明をすることができたものである。
　
４．　むすび 
　以上のとおりであるから、本願発明は、特許法第２９条第１項第３号に該当し、又は、特許法第２９条第２項の規定により特許を受けることができない。
　
　したがって、本願は拒絶すべきものである。 
　
　よって、結論のとおり審決する。